(57)【要約】【目的】着衣状態のワイシャツの襟を常時、整然とした状態に維持することができる襟用仮固定具を提供すること。【構成】ベースシート部１１の両面に粘着層１２が装着されると共にワイシャツＢの襟５の剣先５１から縦辺５２又は下辺５３に沿って貼着される帯状の接合シート１と、該接合シート１の両面に装着される剥離シート２とからなること。該剥離シート２は前記接合シート１よりも長手方向において長く形成されると共に前記両剥離シート２は前記接合シート１の長手方向両端部の少なくとも一方から突出させて剥し代部Ｐを形成してなること。【選択図】      図１
2014189922.tif 000002
【特許請求の範囲】
【請求項１】
ベースシート部の両面に粘着層が装着されると共にワイシャツの襟の剣先から縦辺又は下辺に沿って貼着される帯状の接合シートと、該接合シートの両面に装着される剥離シートとからなり、該剥離シートは前記接合シートよりも長手方向において長く形成されると共に、前記両剥離シートは前記接合シートの長手方向両端部の少なくとも一方から突出させて剥し代部を形成してなることを特徴とする襟用仮固定具。
【請求項２】
請求項１において、前記接合シートの長手方向両端部の少なくとも一方の短辺は、傾斜状としてなることを特徴とする襟用仮固定具。
【請求項３】
請求項１において、前記剥離シートの長手方向両端部の一方は前記接合シートの傾斜状の短辺と同等位置とすると共に同等角度の傾斜角度としてなることを特徴とする襟用仮固定具。
【請求項４】
請求項１，２又は３のいずれか１項の記載において、前記接合シート及び剥離シートはその幅方向のいずれか一方の端部が弧状に屈曲形成されてなることを特徴とする襟用仮固定具。
【請求項５】
請求項１，２，３又は４のいずれか１項の記載において、前記接合シートの両面に装着される前記両剥離シートの一方のみに剥し代部が設けられてなることを特徴とする襟用仮固定具。
【請求項６】
請求項１，２，３，４又は５のいずれか１項の記載において、前記接合シートと剥離シートとが交互に配置されるように積層されると共に両外面は剥離シートが位置され、前記接合シートは、常時、剥し側の剥離シートに貼着されてなることを特徴とする襟用仮固定具。
【請求項７】
請求項１，２，３，４，５又は６のいずれか１項の記載において、前記剥離シートは、長手方向中間箇所で２つのピースに分離されると共に、一方のピースはその端部が他方のピース端部の表面上に重なる摘み代が形成されてなることを特徴とする襟用仮固定具。
【請求項８】
ベースシート部の両面に粘着層が装着されると共にワイシャツの襟の剣先から縦辺又は下辺に沿って貼着される帯状の接合シートと、ロール状に巻き付けられた剥離シートとからなり、前記接合シートは、前記剥離シートに等間隔をおいて配置されてなることを特徴とする襟用仮固定具。
【請求項９】
請求項８において、前記剥離シートの長手方向両端部の少なくとも一方は傾斜状端縁としてなることを特徴とする襟用仮固定具。
【発明の詳細な説明】
【技術分野】
【０００１】
本発明は、着衣状態のワイシャツの襟を常時、整然とした状態に維持することができる襟用仮固定具に関する。
【背景技術】
【０００２】
ワイシャツは、着衣した状態において、ネクタイを装着又は外したときのいずれについても、襟の状態が整っていることが極めて重要である。襟は、型崩れの無い、整然とした状態であることが身だしなみからも大切なものである。よって、襟は、大切に扱われ、ワイシャツの他の部位よりも硬く仕上げられ、クリーニングの際にも、特に綿密に手入れが行われる部分となる。
【０００３】
そして、交渉，商談，会議，面談，面会等において、服装は相手に対する礼儀として極めて重要なものであり、特にワイシャツの場合では、その襟に他人の目が集中することが多い。したがって、ワイシャツの襟全体の形が崩れていたり、又は襟の剣先が捻じれたりしていると、相手にはだらしなく映るものである。
【０００４】
また、近年、夏季においては、ネクタイを装着しないことも多くなっており、特にワイシャツの襟が乱れがちになる。つまり、ネクタイをしない場合では、ワイシャツの襟元のボタンは、外された状態となるので、襟の形も乱れやすくなり、より一層、注意が必要となる。
【０００５】
特に、ワイシャツの襟の剣先は、捻じれたりしていなくとも、ワイシャツの前身ごろで首回り付近に略当接した状態であることが美しく好ましいものといえる。これに対して、襟の剣先がワイシャツの前身ごろで首回り付近から離れて浮き上がっていると、極めてみっともないものである。そこで、ワイシャツの襟の乱れを防止し、常時整然とした形状に維持するためのものが、特許文献１及び特許文献２等に開示されている。
【先行技術文献】
【特許文献】
【０００６】
【特許文献１】特開２００８−２９１４０５号公報
【特許文献２】特開平８−３２５８０１号公報
【発明の概要】
【発明が解決しようとする課題】
【０００７】
特許文献１は、カッターシャツの襟を平坦に広げた形状に略合わせた形状及び大きさを有するポリエチレン樹脂製の弾性シートよりなる襟補強シート本体を形成し、この襟補強用シート本体の裏面における左右両端縁近傍における少なくとも一部面に、当該襟補強シート本体を前記襟の裏面に貼り付けて使用するための粘着剤層を積層固定させたものである。
【０００８】
特許文献１は、カッターシャツの襟の裏面（内側面）に粘着テープなどによる粘着力或いはクリップを利用して着脱自在に貼り付け、襟を補強しようとするものである。そのために、襟補強シート本体は、ワイシャツの襟と略同等の形状且つ大きさを有するものであり、襟補強シート本体を襟に装着するときも、面倒であり、ワイシャツを着衣したままでは、装着が困難である等の欠点が存在する。
【０００９】
次に、特許文献２では、外襟端部の内側及び外襟端部先端が接する位置の前身ごろ上に設置した布テープが設けられ、襟を布テープで固定する構成とし、襟元の歪みと共にネクタイの緩みも防止しようとするものである。しかし、特許文献２では、外襟の内側と前身ごろに布テープを縫い付ける必要がある。これは、ワイシャツ自体を改造するに等しく、布テープが不要になった時に、容易に取り外すことができず、また、縫い付け跡が残ってしまうことになるという欠点が存在する。
【００１０】
本発明が目的（解決しようとする技術的課題）は、ワイシャツの襟を極めて簡単に固定し、襟の形状乱れたり、剣先が浮き上がったりすることを防止し、常時、美しい襟の形状を維持することにある。
【課題を解決するための手段】
【００１１】
そこで、発明者は、上記課題を解決すべく、鋭意，研究を重ねた結果、請求項１の発明を、ベースシート部の両面に粘着層が装着されると共にワイシャツの襟の剣先から下辺又は縦辺に沿って貼着される帯状の接合シートと、該接合シートの両面に装着される剥離シートとからなり、該剥離シートは前記接合シートよりも長手方向において長く形成されると共に、前記両剥離シートは前記接合シートの長手方向両端部の少なくとも一方から突出させて剥し代部を形成してなる襟用仮固定具としたことにより、上記課題を解決した。
【００１２】
請求項２の発明を、請求項１において、前記接合シートの長手方向両端部の少なくとも一方の短辺は、傾斜状としてなる襟用仮固定具としたことにより、上記課題を解決した。請求項３の発明を、請求項１において、前記剥離シートの長手方向両端部の一方は前記接合シートの傾斜状の短辺と同等位置とすると共に同等角度の傾斜角度としてなる襟用仮固定具としたことにより、上記課題を解決した。
【００１３】
請求項４の発明を、請求項１，２又は３のいずれか１項の記載において、前記接合シート及び剥離シートはその幅方向のいずれか一方の端部が弧状に屈曲形成されてなる襟用仮固定具としたことにより、上記課題を解決した。請求項５の発明を、請求項１，２，３又は４のいずれか１項の記載において、前記接合シートの両面に装着される前記両剥離シートの一方のみに剥し代部が設けられてなる襟用仮固定具としたことにより、上記課題を解決した。
【００１４】
請求項６の発明を、請求項１，２，３，４又は５のいずれか１項の記載において、前記接合シートと剥離シートとが交互に配置されるように積層されると共に両外面は剥離シートが位置され、前記接合シートは、常時、剥し側の剥離シートに貼着されてなる襟用仮固定具としたことにより、上記課題を解決した。請求項７の発明を、請求項１，２，３，４，５又は６のいずれか１項の記載において、前記剥離シートは、長手方向中間箇所で２つのピースに分離されると共に、一方のピースはその端部が他方のピース端部の表面上に重なる摘み代が形成されてなる襟用仮固定具としたことにより、上記課題を解決した。
【００１５】
請求項８の発明を、ベースシート部の両面に粘着層が装着されると共にワイシャツの襟の剣先から縦辺又は下辺に沿って貼着される帯状の接合シートと、ロール状に巻き付けられた剥離シートとからなり、前記接合シートは、前記剥離シートに等間隔をおいて配置されてなる襟用仮固定具としたことにより、上記課題を解決した。請求項９の発明を、請求項８において、前記剥離シートの長手方向両端部の少なくとも一方は傾斜状端縁としてなる襟用仮固定具としたことにより、上記課題を解決した。
【発明の効果】
【００１６】
請求項１の発明では、剥離シートは接合シートよりも長手方向において長く形成されると共に、前記両剥離シートは前記接合シートの長手方向両端部の少なくとも一方から突出させて剥し代部を形成したものである。これによって、本発明の襟用仮固定具は剥し代部から剥離シートを極めて容易に剥すことができる。
【００１７】
そして、襟用仮固定具から１枚の剥離シートを剥すことで、接合シート１はいずれか一方の剥離シートに貼着された状態となり、剥離シートと共に接合シートをワイシャツの襟を立てて、襟の裏面側で剣先部から襟の縦辺又は下辺に沿って貼着し、そのまま剥離シートを剥すと、襟の剣先部の裏面側に接合シートのみが貼着された状態にできる。
【００１８】
これによって、襟の剣先部分をワイシャツの前身頃の首回り箇所に押圧するのみで、襟の剣先は、ワイシャツの前身頃の首回り箇所に前記接合シートを介して接合され、襟が固定され、襟の乱れを防止することができる。
【００１９】
このように、本発明の襟用仮固定具は、ワイシャツを着用したままの状態であっても、襟を立てることにより、鏡を見ながら極めて簡単に装着することができる。したがって、朝の支度で極めて短時間にワイシャツの襟の固定を行うことができる。また、本発明の襟用仮固定具の使用後はワイシャツの襟から接合シートを剥すのみで容易に除去することができる。したがって、接合シートの除去後には、使用した跡が一切残らないものである。
【００２０】
請求項２の発明では、接合シートの長手方向両端部の少なくとも一方の短辺は、傾斜状としたことにより、接合シートを襟の剣先から縦辺又は下辺に沿った形状に合わせて貼着することができる。これは、襟の剣先は、一般的に直角ではなく鋭角であり、本発明における接合シートの短辺を傾斜状とすることで、剣先部分の形状に適正に合わせることができ、剣先部分を有効的に前身頃に貼着させることができる。
【００２１】
請求項３の発明を、剥離シートの長手方向両端部の一方は前記接合シートの傾斜状の短辺と同等位置とすると共に同等角度の傾斜角度とすることで、襟の剣先の位置に剥離シートの傾斜短辺を合わせるのみで、接合シートを剣先部分に略正確に貼着させることができる。つまり、剥離シートの傾斜短辺を襟の剣先に貼着するための位置合わせとしての役目とすることができる。
【００２２】
請求項４の発明では、接合シート及び剥離シートはその幅方向のいずれか一方の端部が弧状に屈曲形成されることにより、襟の剣先から縦辺又は下辺の縁部分に沿って接合シートを貼着させることができる。請求項５の発明では、前記接合シートの両面に装着される前記両剥離シートの一方のみに剥し代部が設けられることにより、剥し代部が設けられた剥離シートを接合シートから極めて剥しやすい構造にできるものである。
【００２３】
請求項６の発明では、接合シートと剥離シートとが交互に配置されるように積層されると共に両外面は剥離シートが位置され、前記接合シートは、常時、剥し側の剥離シートに貼着される構成としたことにより、本発明の襟用仮固定具の積層状態をコンパクトにまとめることができる。
【００２４】
つまり、接合シートと剥離シートとが交互に配置されるように積層されることにより、一枚の剥離シートは、２枚の接合シートの剥離シートとしての役目を兼用する。したがって、襟用仮固定具の多数個を単に積み重ねた場合よりも、剥離シートの枚数を格段に減少させることができ、多数個を積層した襟用仮固定具を極めて小型なものにすることができる。
【００２５】
請求項７の発明では、前記剥離シートは、長手方向中間箇所で２つのピースに分離されると共に、一方のピースはその端部が他方のピース端部の表面上に重なる摘み代が形成される構成としたものである。これによって、剥離シートを簡易且つ迅速に剥すことができる。
【００２６】
請求項８の発明では、本発明の多数の襟用仮固定具をロール状にまとめることができ、特に本発明を大量に使用する場合に好適である。これによって、職場などで、まとめて購入し、職場にて、必要に応じて多数の人が使用できる。
【００２７】
請求項９の発明では、剥離シートの長手方向両端部の少なくとも一方は傾斜状端縁としてなる構成により、前述した請求項２の効果と略同様に、剣先部分の形状に適正に合わせることができ、剣先部分を有効的に前身頃に貼着させることができる。
【図面の簡単な説明】
【００２８】
【図１】（Ａ）は本発明を使用したワイシャツの襟部分の正面図、（Ｂ）は本発明を使用したワイシャツの襟部分の右肩側の側面図、（Ｃ）は（Ａ）のＹ1―Ｙ1矢視断面図、（Ｄ）は本発明の第１実施形態の剥離シートの一部を剥がした状態の斜視図、（Ｅ）は（Ｄ）のＹ2―Ｙ2矢視断面略示図である。
【図２】（Ａ）は本発明の第１実施形態の斜視図、（Ｂ）は（Ａ）の一部省略したＹ3―Ｙ3矢視拡大断面図、（Ｃ）は（Ｂ）をベースシート部と剥離シートとを分離した状態の断面図、（Ｄ）は本発明における接合シートの平面図である。
【図３】（Ａ）は第１実施形態の第１変形例の斜視図、（Ｂ）は第１実施形態の第２変形例の斜視図、（Ｃ）は第１実施形態の第３変形例の斜視図である。
【図４】（Ａ）乃至（Ｃ）は本発明をワイシャツの襟に貼着する過程を示す肩側の側面図、（Ｂ）は（Ｃ）の（ア）部拡大図、（Ｅ）は本発明をワイシャツの襟の両剣先に貼着した状態の正面図である。
【図５】（Ａ）は本発明の第２実施形態の斜視図、（Ｂ）は（Ａ）の一部省略したＹ4―Ｙ4矢視拡大断面図、（Ｃ）及び（Ｄ）は積層された複数の襟用仮固定具から１個の襟用仮固定具を剥し出す過程を示す略示図である。
【図６】（Ａ）は本発明の第３実施形態の斜視図、（Ｂ）は（Ａ）の一部省略したＹ5―Ｙ5矢視拡大断面図、（Ｃ）は本発明の第３実施形態をワイシャツの襟の両剣先に貼着した状態の正面図、（Ｄ）は（Ｃ）の一部省略したＹ6―Ｙ6矢視拡大断面図である。
【図７】（Ａ）は本発明の第４実施形態の斜視図、（Ｂ）は（Ａ）の使用状態を示す略示図である。
【図８】（Ａ）は本発明の第５実施形態の斜視図、（Ｂ）は（Ａ）の略示図、（Ｃ）は長尺な剥離シートに接合シートが等間隔に配置された状態の平面図、（Ｄ）は（Ｃ）の変形例の平面図である。
【図９】（Ａ）は本発明において接合シートの両面に装着される前記両剥離シートの一方のみに剥し代部が設けられた実施形態の拡大縦断側面図、（Ｂ）は本発明において接合シートの両面に装着される前記両剥離シートの一方のみに剥し代部が設けられた実施形態の斜視図、（Ｃ）は（Ａ）の変形例を示す要部の拡大縦断側面図である。
【図１０】（Ａ）は本発明の襟用仮固定具を襟の剣先から下辺に沿って貼着した実施形態のワイシャツの正面図、（Ｂ）は（Ａ）の右肩側の側面図、（Ｃ）は（Ａ）のＹ7―Ｙ7矢視拡大断面図である。
【発明を実施するための形態】
【００２９】
以下、本発明の襟用仮固定具Ａの実施形態を図面に基づいて説明する。本発明の襟用仮固定具Ａでは、複数の実施形態が存在する。そして、全実施形態において、襟用仮固定具Ａは、接合シート１と剥離シート２とから構成される。
【００３０】
まず、第１実施形態を図１，図２に基いて説明する。前記接合シート１は、ベースシート部１１の両面に粘着層１２，１２が設けられたものである〔図１（Ｄ），（Ｅ），図２（Ａ），（Ｂ），（Ｃ），（Ｄ）参照〕。ベースシート部１１は、紙材であり、極めて薄いシート状に形成されたものであり、具体的には、薄葉紙が好適である。また、ベースシート部１１は、合成樹脂のフィルム材を使用してもよい。
【００３１】
また、ベースシート部１１は、合成樹脂製のフィルム材又は、スポンジ状のシート等から形成されることもある。粘着層１２，１２は、通常の粘着テープに施されている粘着力と同程度のものであり、前記ベースシート部１１の両面に粘着層１２，１２が設けられ、接合シート１が構成される。
【００３２】
このようにして構成された接合シート１は、帯状で且つ四辺形に形成されたものである〔図２（Ａ）参照〕。接合シート１の長手方向の両端辺は、該接合シート１が略台形状となるように、傾斜状の辺として形成される。
【００３３】
その接合シート１の長手方向両端を短辺１１ａとし、接合シート１の長手方向に直交する幅方向両端の辺を長辺１１ｂとする。そして、前記短辺１１ａと、長辺１１ｂとのなす角度で鋭角となる側を傾斜角度θとする。該傾斜角度θは、接合シート１を貼着するワイシャツＢの襟５の剣先５１の剣先角度θｗに略等しくなるように設定される。
【００３４】
つまり
2014189922.tif 000003
となる。
【００３５】
また、ワイシャツＢの襟５には、複数の種類（パターン）が存在し、剣先角度θｗもそれぞれ異なるものである。よって、接合シート１については、その傾斜角度θを、ワイシャツＢの襟５の種類に合わせて複数種類、用意されることが好ましく、前記傾斜角度θは、鋭角又は略直角に近い鋭角等のもの等、複数種類を揃えておくとあらゆる襟５のパターンに適応することができる〔図２（Ｄ）参照〕。
【００３６】
剥離シート２は、接合シート１の両面に貼着される。つまり、襟用仮固定具Ａは、接合シート１と該接合シート１を挟持する２枚の剥離シート２，２による３層構造となる〔図１（Ｅ），図２（Ａ），（Ｂ）参照〕。剥離シート２は、紙材からなり、前記接合シート１と同様に帯状に形成されたものである。
【００３７】
剥離シート２は、その長手方向において、前記接合シート１よりも長く形成されている〔図１（Ｄ），（Ｅ），図２（Ａ）参照〕。そして、接合シート１の両面に剥離シート２が貼着された状態で、該剥離シート２の長手方向端部は、前記接合シート１の長手方向端部から突出する構成とする〔図１（Ｄ），（Ｅ），図２（Ａ）参照〕。この構成によって、２枚の剥離シート２，２の間には、接合シート１が挟持された領域と、該接合シート１が存在しない領域が備えられることとなる。
【００３８】
前述した２枚の剥離シート２，２において接合シート１が存在しない領域を剥離シート２における剥し代部（はがししろぶ）Ｐと称する。剥し代部Ｐは、換言するならば、剥離シート２が接合シート１よりも長手方向に長く形成され、剥離シート２の接合シート１からの突出した部分が剥し代部Ｐとなる。前記剥し代部Ｐは、前述したように、２枚の剥離シート２のみによって構成される部分であり、２枚の剥離シート２，２を相互に引き離し易い部分である〔図１（Ｄ），（Ｅ）参照〕。したがって、２枚の剥離シート２の内の１枚を接合シート１から引き剥がす作業が容易にできる。
【００３９】
前記剥し代部Ｐは、接合シート１の両面に装着される前記両剥離シート２，２の両方に設けられている〔図１（Ｄ），図２（Ａ），図３等参照〕。また、前記接合シート１の両面に装着される前記両剥離シート２，２の一方のみに剥し代部Ｐが設けられた実施形態も存在する〔図９（Ａ），（Ｂ）参照〕。さらに、その変形例として、前記接合シート１の両面に装着される前記両剥離シート２，２の剥し代部Ｐの長さを異なるように設けられることもある〔図９（Ｃ）参照〕。
【００４０】
剥離シート２は、長手方向に直交する幅方向の寸法は、接合シート１と同等であるが、該接合シート１の幅方向を剥離シート２の幅方向よりも僅かに小さくする略同等の構成も含むものとする。また、剥離シート２の長手方向において剥し代部Ｐが設けられた部分とは反対側の短辺は、接合シート１の傾斜状の短辺１１ａと同等位置（略同等位置も含む）で且つ同等角度（略同等角度も含む）となるように形成されている〔図１（Ｄ），図２（Ａ）参照〕。
【００４１】
第１実施形態には、変形例が存在し、その第１変形例では、２枚の剥離シート２，２の長手方向両端に前記剥し代部Ｐ，Ｐが設けられたものである〔図３（Ａ）参照〕。この変形例では、剥離シート２の長手方向両端のいずれにおいても、剥離シート２の剥し作業を行い易いものにできる。
【００４２】
第２変形例では、接合シート１の長手方向いずれか一方の短辺１１ａは、傾斜角度θを設けず、該短辺１１ａは長手方向に直角となるものとする〔図３（Ｂ）参照〕。これによって、接合シート１の形状は、簡単なものとなり、製造工程も簡単にできる。
【００４３】
第３変形例では、接合シート１の長手方向両端の短辺１１ａ，１１ａは、共に傾斜角度θを設けず、長手方向に直角となるものとする〔図３（Ｃ）参照〕。これによって、接合シート１の形状は、より一層簡単なものとなり、製造工程もより一層簡単にできる。
【００４４】
次に、本発明の第２実施形態では、複数の個数の襟用仮固定具Ａ，Ａ，…が積み重ねられて積層構成としたものである〔図５（Ａ），（Ｂ）参照〕。具体的には、剥離シート２，接合シート１，剥離シート２，接合シート１となるように交互に積み重ねられる〔図５（Ｂ）参照〕。
【００４５】
そして、積層構成とした上端面２ｕと，下端面２ｄは、共に剥離シート２が位置する。積層構成の上下端を除いて、内部に位置する剥離シート２は、両面に接合シート１が位置することとなる。つまり、内部の剥離シート２は、２組の襟用仮固定具の接合シート１の剥離シート２としての役目を兼用する。
【００４６】
この、第２実施形態では、接合シート１は、常時、剥し側の剥離シート２に貼着されるようになっている。この剥し側の剥離シート２とは、積層された束の最外部分に位置して、実際に剥す動作する剥離シート２のことである。具体的には、第２実施形態の構成にて積層された襟用仮固定具Ａ，Ａ，…では、最外面に位置する（剥し側の）剥離シート２を剥すと、剥した側の剥離シート２に接合シート１が貼着されるものである。
【００４７】
これによって、そのまま、襟５の剣先５１に剥離シート２と共に接合シート１を貼着することができる。このような構成とするには、第２実施形態の構成にて積層された襟用仮固定具Ａ，Ａ，…のいずれか一方側を剥し側として決めておく。例えば、図５では、積層された襟用仮固定具Ａ，Ａ，…の上面側を剥し側としている。
【００４８】
剥し側の剥離シート２に接合シート１が常時、必ず付いてくる構成にするためには、以下のような構造にする。まず、剥離シート２の両剥離面において、接合シート１の粘着層１２との粘着力に強弱の差が生じるように表面処理を施す。つまり、剥離シート２の一方の面と他方の面の粗さに変化を与える。
【００４９】
これによって、接合シート１の粘着層１２との粘着力に差が生じる。そして、剥し側の剥離シート２の剥し面側を常時、接合シート１の粘着層１２との粘着力が大きくなるように設定しておく。このようにすることで、剥し側の剥離シート２を剥すと、該剥離シート２に必ず接合シート１が付いてくることになる。そして積層束の次の剥離シート２も同様に積層束から剥すことで、該剥離シート２に接合シート１が必ず付いてくることになる。
【００５０】
また、剥し側の剥離シート２に接合シート１が常時、必ず付いてくる別の構成としては、接合シート１の粘着層１２，１２は、上面と下面とで粘着力に強弱を与えておく。つまり、上面側の粘着層１２の粘着力を大とし、下面側の粘着層１２の粘着力を小とする。その粘着力の差は僅かで構わない。これによって、積層された襟用仮固定具Ａ，Ａ，…の上面側を剥し側とし、剥離シート２を剥すと、剥がした剥離シート２側に接合シート１が貼着することになる〔図５（Ｃ），（Ｄ）参照〕。
【００５１】
そして、剥離シート２と共に接合シート１を襟５の剣先５１に貼着したときには、接合シート１は襟５側との貼着力が剥離シート２との貼着力を上回り、襟５の剣先５１に接合シート１のみを貼着できる。
【００５２】
この第２実施形態についても、前述した第１実施形態の変形例を含むものである。この第２実施形態では、複数個の襟用仮固定具が前述したように、剥離シート２と接合シート１とが交互に積み重ねられ、その上端及び下端の面は共に剥離シート２，２としたものであり、内部の剥離シート２は、２枚の接合シート１の剥離シート２を兼用するものである。したがって、同一個数の襟用仮固定具をそのまま積層した場合に比較して、その積層高さは、低くなり、小型にまとめることができる。
【００５３】
次に、第３実施形態は、接合シート１及び剥離シート２はその幅方向のいずれか一方の端部が弧状に屈曲又はロール形成されたものである〔図６（Ａ），（Ｂ）参照〕。具体的には、接合シート１及び剥離シート２の幅方向の一方の端部箇所が、その幅方向に沿って弧状に屈曲又はロール形成され、長手方向に直交する断面形状が略「Ｊ」字形状に形成されたものである。
【００５４】
弧状部分を弧状長辺Ａｒと称する。該弧状長辺Ａｒは、特に、剥離シート２側に曲りくせとして形成されたものであり、一方の剥離シート２を剥した残りの剥離シート２とこれに貼着している接合シート１には弧状長辺Ａｒが備わっている。
【００５５】
そして、そのまま、接合シート１を襟５の剣先５１の縦辺５２の端縁又は下辺５３の端縁に沿って貼着され、剥離シート２を剥すと、剣先５１の裏面側のみではなく、縦辺５２の端縁又は下辺５３の端縁の部分まで、ワイシャツＢの前身頃６の首回り位置に貼着することができる〔図６（Ｃ），（Ｄ）参照〕。
【００５６】
本発明の第４実施形態では、前記剥離シート２において、長手方向中間箇所で２つのピース２１，２２に分離されると共に、一方のピース２１はその端部が他方のピース２２の端部の表面上に重なる摘み代２３が形成されたものである〔図７（Ａ）参照〕。これによって接合シート１から剥離シート２を剥がし易くすることができる〔図７（Ｂ）参照〕。
【００５７】
次に、本発明の第５実施形態では、粘着層１２，１２装着されると共にワイシャツＢの襟５の剣先５１から縦辺５２又は下辺５３に沿って貼着される帯状の接合シート１と、ロール状に巻き付けられた剥離シート２とから構成される。
【００５８】
そして、接合シート１は、剥離シート２に等間隔をおいて配置されたものである。この実施形態では、剥離シート２は、長尺帯で、ロール芯部３に巻き付けられている。剥離シート２には、前述したように、接合シート１が等間隔となるように配置されており、前述した第２実施形態と同様に、接合シート１の粘着層１２，１２は、ロール芯部３側と外面側とで粘着力に強弱を与えておく。
【００５９】
そして、ロール状とした剥離シート２を剥すと、剥がした剥離シート２側に接合シート１が貼着することになる。剥離シート２は、隣接する接合シート１，１間を鋏やカッターナイフ等にて切断して、１個の襟用仮固定具Ａとして使用する。剥離シート２には、ミシン目２４を形成しておくこともある。
【００６０】
次に、本発明の使用について説明する。本発明の襟用仮固定具Ａは、剥離シート２剥し代部Ｐを介して、まず一方の剥離シート２を剥す〔図１（Ｄ），（Ｅ）参照〕。これによって、他方の剥離シート２には接合シート１が貼着された状態である。
【００６１】
そして、ワイシャツＢの襟５を立てて、剥離シート２と共に接合シート１の粘着層１２を襟５の裏面側で剣先部５１から襟５の縦辺５２又は下辺５３に沿って貼着する。そのまま残りの剥離シート２を剥すと、襟５の剣先５の裏面側に接合シート１のみが貼着された状態となる。
【００６２】
そのまま立てた襟５を下に折り返し、剣先５１の裏面側を前身頃６の首回り部に押圧するのみで、接合シート１によって襟５の剣先５１と前身頃６の首回り部分とが接合され、襟５がきれいな状態で固定され、襟５の乱れを防止することができる。また、本発明の襟用仮固定具Ａの使用後は、ワイシャツＢの襟５の剣先５１から接合シート１を剥すのみで容易に除去することができる。したがって、接合シート１の除去後には、使用した跡が一切残らないものである。
【００６３】
このように、本発明の襟用仮固定具Ａは、ワイシャツＢを着用したままの状態であっても、襟５を立てることにより、鏡を見ながら極めて簡単に装着することができる。したがって、朝の支度で極めて短時間にワイシャツの襟の固定を行うことができる。また、接合シート１の長手方向両端部の少なくとも一方の縦辺５２は、傾斜状としたことにより、接合シートを襟の剣先から縦辺又は下辺に沿った形状に合わせて貼着することができる。
【００６４】
これはワイシャツＢの襟５の剣先５１は、一般的に直角ではなく鋭角であり、本発明における接合シート１の短辺１１ａを傾斜状とすることで、剣先５１部分の形状に対して適正に合わせることができ、剣先５１部分を有効的に前身頃６に貼着させることができる。
【００６５】
また、襟用仮固定具Ａを襟５の剣先５１から下辺５３に沿って貼着する実施形態も存在する（図１０参照）。この実施形態では、襟５の下辺５３に沿って襟５が前身頃６に固定されることにより、特にネクタイを外した状態で襟５の形状を整えることができる。
【符号の説明】
【００６６】
Ａ…襟用仮固定具、１…接合シート、１１…ベースシート部，１１ａ…短辺、
１１ｂ…長辺、１２…粘着層、２…剥離シート、２１…ピース、２２…ピース、
２３…摘み代、Ｂ…ワイシャツ、５…襟、５１…剣先、５２…縦辺、５３…下辺。
【図１】
2014189922.tif 000004
【図２】
2014189922.tif 000005
【図３】
2014189922.tif 000006
【図４】
2014189922.tif 000007
【図５】
2014189922.tif 000008
【図６】
2014189922.tif 000009
【図７】
2014189922.tif 000010
【図８】
2014189922.tif 000011
【図９】
2014189922.tif 000012
【図１０】
2014189922.tif 000013